(57)【要約】  通信システムは基地局とサービス・ノードとを含む。サービス・ノードはインターネットを介して通信を行う。基地局は通信リンクを介してインターネット接続を確立する。基地局は通信リンク及びインターネットを介してサービス・ノードに登録し、サービス・ノードは登録期間に基地局を検証する。基地局及びサービス・ノードは通信リンク及びインターネットを介してトンネルを確立する。基地局は無線フォーマットで無線通信装置とユーザ通信を交換する。基地局及びサービス・ノードはトンネルを介してユーザ通信を交換する。サービス・ノードはユーザ通信を処理して無線通信装置に通信サービスを提供する。
2008541666.tif 000002
【特許請求の範囲】
【請求項１】
インターネットを介して通信するよう構成されたサービス・ノード１０７を備える通信システムであって、
通信リンクを介してインターネットとインターネット接続を確立し、前記通信リンク及びインターネットを介して前記サービス・ノードに登録し、前記通信リンク及びインターネットを介して前記サービス・ノード１０７とトンネルを確立し、無線フォーマットで無線通信装置とユーザ通信を交換し、前記トンネルを介して前記ユーザ通信を前記サービス・ノード１０７と交換するよう構成された基地局１０１を備え、
前記サービス・ノード１０７が、登録期間に前記基地局１０１を検証し、前記通信リンク及びインターネットを介して前記基地局１０１と前記トンネルを確立し、前記トンネルを介して前記基地局１０１と前記ユーザ通信を交換し、前記ユーザ通信を処理して前記無線通信装置に通信サービスを提供するよう構成されてなる通信システム。
【請求項２】
前記通信リンクが非対称であり、前記基地局１０１から前記サービス・ノード１０７への方向よりも前記サービス・ノード１０７から前記基地局１０１への方向に対して大きい帯域幅を提供する、請求項１に記載の通信システム。
【請求項３】
前記通信リンクが非対称加入者回線（ＡＤＳＬ）リンクを含む、請求項１に記載の通信システム。
【請求項４】
前記通信リンクがＤＯＣＳＩＳを含む、請求項１に記載の通信システム。
【請求項５】
前記通信リンクが８０２．１１リンクを含む、請求項１に記載の通信システム。
【請求項６】
前記通信リンクが８０２．１６リンクを含む、請求項１に記載の通信システム。
【請求項７】
前記通信リンクがブロードバンド・オーバーパワー回線（ＢＰＬ）リンクを含む、請求項１に記載の通信システム。
【請求項８】
前記基地局１０１が無指向性であってセクタを持たない、請求項１に記載の通信システム。
【請求項９】
前記基地局１０１が、２０個の同時無線通信装置の最大容量を有する、請求項１に記載の通信システム。
【請求項１０】
前記基地局１０１が、最大３つのＲＦ受信チャンネルと３つの送信チャンネルとを持つ、請求項１に記載の通信システム。
【請求項１１】
前記基地局１０１が、インターネット・サービス・プロバイダへログインすることによってインターネット接続を確立するよう構成される、請求項１に記載の通信システム。
【請求項１２】
前記基地局１０１が、所定のスケジュールに基づいてインターネット接続の確立、前記サービス・ノード１０７への登録及び前記トンネルの確立を行い、前記所定のスケジュールに基づいてインターネット接続の解除、前記サービス・ノード１０７への登録の解除及び前記トンネルの解除を行うよう構成される、請求項１に記載の通信システム。
【請求項１３】
前記基地局１０１が、エンドユーザ活動に基づいてインターネット接続の確立、前記サービス・ノード１０７への登録及び前記トンネルの確立を行い、前記エンドユーザ活動の喪失に基づいてインターネット接続の解除、前記サービス・ノード１０７への登録の解除及び前記トンネルの解除を行うよう構成される、請求項１に記載の通信システム。
【請求項１４】
前記基地局１０１が携帯可能である、請求項１に記載の通信システム。
【請求項１５】
前記サービス・ノード１０７が移動中継局を備える、請求項１に記載の通信システム。
【請求項１６】
通信リンクを介して基地局とインターネットとの間にインターネット接続を確立するステップを備え、サービス・ノードがインターネットを介して通信するよう構成されてなる、通信システムを動作させる方法であって、
前記通信リンク及びインターネットを介して前記基地局を前記サービス・ノードに登録するステップと、
前記通信リンク及びインターネットを介して前記基地局と前記サービス・ノードとの間にトンネルを確立するステップと、
無線フォーマットで前記基地局と無線通信装置との間でユーザ通信を交換するステップと、
前記トンネルを介して前記基地局と前記サービス・ノードとの間で前記ユーザ通信を交換するステップと、
前記サービス・ノードにおいて前記ユーザ通信を処理して前記無線通信装置に通信サービスを提供するステップと
を備える方法。
【請求項１７】
前記通信リンクが非対称であり、前記基地局から前記サービス・ノードへの方向よりも前記サービス・ノードから前記基地局への方向に対して大きい帯域幅を提供する、請求項１６に記載の方法。
【請求項１８】
前記通信リンクが非対称加入者回線（ＡＤＳＬ）リンクを含む、請求項１６に記載の方法。
【請求項１９】
前記通信リンクがＤＯＣＳＩＳを含む、請求項１６に記載の方法。
【請求項２０】
前記通信リンクが８０２．１１リンクを含む、請求項１６に記載の方法。
【請求項２１】
前記通信リンクが８０２．１６リンクを含む、請求項１６に記載の方法。
【請求項２２】
前記通信リンクがブロードバンド・オーバーパワー回線（ＢＰＬ）リンクを含む、請求項１６に記載の方法。
【請求項２３】
前記基地局が無指向性であってセクタを持たない、請求項１６に記載の方法。
【請求項２４】
前記基地局が、２０個の同時無線通信装置の最大容量を持つ、請求項１６に記載の方法。
【請求項２５】
前記基地局が最大３つのＲＦ受信チャンネルと３つの送信チャンネルとを持つ、請求項１６に記載の方法。
【請求項２６】
インターネット接続を確立するステップが、インターネット・サービス・プロバイダにログインすることを含む、請求項１６に記載の方法。
【請求項２７】
インターネット接続を確立し、前記サービス・ノードに登録し、前記トンネルを確立するステップが、所定のスケジュールに基づいてインターネット接続の確立、前記サービス・ノードへの登録及び前記トンネルの確立を行うことを含み、
インターネット接続を解除し、前記サービス・ノードへの登録を解除し、前記トンネルを解除するステップが、所定のスケジュールに基づいてインターネット接続の解除、前記サービス・ノードへの登録の解除及び前記トンネルの解除を行うことを含む、請求項１６に記載の方法。
【請求項２８】
インターネット接続を確立し、前記サービス・ノードに登録し、前記トンネルを確立するステップが、エンドユーザ活動に応答して、インターネット接続を確立し、前記サービス・ノードに登録し、前記トンネルを確立することを含み、
インターネット接続を解除し、前記サービス・ノードへの登録を解除し、前記トンネルを解除するステップが、前記エンドユーザ活動の喪失に基づいて、インターネット接続を解除し、前記サービス・ノードへの登録を解除し、前記トンネルを解除することを含む、請求項１６に記載の方法。
【請求項２９】
前記基地局が携帯可能である、請求項１６に記載の方法。
【請求項３０】
前記サービス・ノードが移動中継局を備える、請求項１６に記載の方法。
【発明の詳細な説明】
【技術分野】
【０００１】
本発明は、通信の分野に関係し、特に、無線基地局とサービス・ノード、例えば移動中継局の間の通信のためのインターネットの使用に関する。
従来技術の説明
無線通信の場合、エンドユーザは、基地局との無線通信フォーマットでユーザ通信を交換する無線通信装置を操作する。次いで基地局は非無線フォーマットでサービス・ノード、例えば移動中継局とユーザ通信を交換する。サービス・ノードはユーザ通信を処理して通信サービス、例えば電話又はインターネット・アクセスを提供する。
【０００２】
不都合なことに、ＤＳ１リンクやＤＳ３リンクのような時分割多重（ＴＤＭ）リンクが、典型的には、基地局とサービス・ノードとの間のユーザ通信を交換するために使用される。ＤＳ１リンクやＤＳ３リンクは比較的高価である。こうしたＴＤＭリンクは高価なばかりでなく、確立に極めて多くの時間を要する。所与の区域において、ＤＳ３リンク又はＤＳ１リンクを提供する競合するサービス・プロバイダの確固たる組は存在しないので、通常は低品質なサービスしかできないことになる。そのうえ、これらのＴＤＭリンクは地域によっては利用可能でない。
【０００３】
無線通信に対する需要は対象及び容量の点で成長している。ウェブ・ブラウジングや音楽ダウンロードのような新たなデータ・アプリケーションが無線通信装置の人気のある特徴になった。典型的には、新たなデータ・アプリケーションは非対称なトラフィック・パターンを持っており、基地局からサービス・ノードへ向かう場合よりもサービス・ノードから基地局へ向かう場合の方が多くの帯域幅を使用する。例えば、典型的には、音楽をダウンロードするエンドユーザ要求は、実際に音楽をエンドユーザへダウンロードするために使用される帯域幅よりも遙かに小さい帯域幅しか使用しない。
【０００４】
インターネット・アクセスは比較的低コスト且つユビキタスになった。多くのサービス・プロバイダは低コストなインターネット・アクセスを多くの且つ広範囲のサービス区域に提供しようと競争している。インターネット・アクセス技術の例は、非対称デジタル加入者回線、ＤＯＣＳＩＳ、ＩＥＥＥ８０２．１１、ＩＥＥＥ８０２．１６及びブロードバンド・オーバーパワー線を含む。
【０００５】
不都合なことに、この低コストでユビキタスなインターネット・アクセスは、基地局とサービス・ノードとの間のユーザ通信を交換するよう効率的に実現されてはいない。
発明の概要
本発明の例は、基地局とサービス・ノードとを備える通信システムを含む。サービス・ノードはインターネットを介して通信するよう構成される。基地局は、通信リンクを介してインターネットとのインターネット接続を確立し、通信リンク及びインターネットを介してサービス・ノードに登録するよう構成される。基地局は、通信リンク及びインターネットを介してサービス・ノードとトンネルを確立するよう構成される。基地局は、無線フォーマットで無線通信装置とユーザ通信を交換するよう構成される。基地局は、トンネルを介してサービス・ノードとユーザ通信を交換するよう構成される。サービス・ノードは、登録期間に基地局を検証するよう構成される。サービス・ノードは、通信リンク及びインターネットを介して基地局とトンネルを確立するよう構成される。サービス・ノードは、トンネルを介して基地局とユーザ通信を交換するよう構成される。サービス・ノードは、ユーザ通信を処理して無線通信装置に通信サービスを提供するよう構成される。
【０００６】
本発明の或る例においては、通信リンクは非対称であって、基地局からサービス・ノードへの方向よりもサービス・ノードから基地局への方向に対して大きな帯域幅を提供する。
【０００７】
本発明の或る例においては、通信リンクは非対称加入者回線（ＡＤＳＬ）リンク、ＤＯＣＳＩＳリンク、８０２．１１リンク、８０２．１６リンク又はブロードバンド・オーバーパワー回線（ＢＰＬ）リンクを含む。
【０００８】
本発明の或る例においては、基地局は無指向性であってセクタを持たない。
本発明の或る例においては、基地局は２０個の同時無線通信装置の最大容量を持つ。
本発明の或る例においては、基地局は最大３つのＲＦ受信チャンネルと３つの送信チャンネルとを有する。
【０００９】
本発明の或る例においては、基地局は、インターネット・サービス・プロバイダにログインすることによってインターネット接続を確立するよう構成される。
本発明の或る例においては、基地局は、所定のスケジュールに基づいてインターネット接続の確立、サービス・ノードへの登録及びトンネルの確立を行い、所定のスケジュールに基づいてインターネット接続の解除、サービス・ノードへの登録の解除及びトンネルの解除を行うよう構成される。
【００１０】
本発明の或る例においては、基地局は、エンドユーザ活動に応答してインターネット接続の確立、サービス・ノードへの登録及びトンネルの確立を行い、エンドユーザ活動の喪失に基づいてインターネット接続の解除、サービス・ノードへの登録の解除及びトンネルの解除を行うよう構成される。
【００１１】
本発明の或る例においては、基地局は携帯可能である。
本発明の或る例においては、サービス・ノードは移動中継局を含む。
本発明の例は、通信システムを動作させる方法を含む。この方法は、通信リンクを介して基地局とインターネットとの間にインターネット接続を確立するステップであって、サービス・ノードがインターネットを介して通信するよう構成されてなるステップと、通信リンク及びインターネットを介して基地局を前記サービス・ノードに登録して基地局を検証するステップと、リンク及びインターネットを介して基地局とサービス・ノードとの間にトンネルを確立するステップと、無線フォーマットで基地局と無線通信装置との間でユーザ通信を交換するステップと、トンネルを介して基地局とサービス・ノードとの間でユーザ通信を交換するステップと、サービス・ノードにおいてユーザ通信を処理して無線通信装置に通信サービスを提供するステップとを含む。
【００１２】
全図において、同じ参照番号は同じ要素を表す。
好ましい実施の形態の詳細な説明
以下の説明及び関連の図面は、発明の最良の形態を如何に作成し、使用するかを当業者に教示するための特定の例を示している。発明の原理を教示する目的で、従来の特徴の中には単純化され又は省略されたものがある。当業者であれば、発明の範囲内に入る、これらの例からの変形を理解するであろう。当業者は理解するように、以下に記述される特徴は、発明の多くの変形を形成するように種々の方法で組み合わされ得る。その結果、発明は以下に記述される特定の例に限定されるものではなく、請求項とその均等物によってのみ限定される。
【００１３】
例１
図１は、本発明の例の通信システム１００を図示している。通信システム１００は基地局１０１〜１０３、インターネット・インターフェース１０４〜１０６及びサービス・ノード１０７を含む。基地局１０１は通信リンク１１４を介してインターネット接続を確立する。或る変形においては、インターネット・インターフェース１０４はインターネット・サービス・プロバイダ（ＩＳＰ）を表し、基地局１０１は通信リンク１１４を介してＩＳＰにログオンすることによってインターネット接続を確立する。インターネット・インターフェース１０４とサービス・ノード１０７は、インターネットを介して通信するよう構成される。こうして、基地局１０１とサービス・ノード１０７は、通信リンク１１４とインターネットとを介して互いに通信することができる。
【００１４】
或る変形においては、通信リンク１１４は非対称であり、基地局１０１からサービス・ノード１０７へ向かう方向よりもサービス・ノード０７から基地局１０１へ向かう方向に多くの帯域幅を提供する。非対称通信リンクは、基地局１０１からサービス・ノード１０７へ向かう方向よりもサービス・ノード１０７から基地局１０１へ向かう方向の方がトラフィックが大きい、インターネット・ブラウジングや音楽ダウンロードのようなデータ・アプリケーションには特に適している。通信リンク１１４は非対称デジタル加入者回線（ＡＤＳＬ）リンク、ＤＯＣＳＩＳリンク、８０２．１１リンク（Ｗｉ−Ｆｉ）、８０２．１６リンク（Ｗｉ−Ｍａｘ）、ブロードバンド・オーバーパワー・ライン（ＢＰＬ）リンク又は他の形式のインターネット・アクセス・リンクであってよい。
【００１５】
基地局１０１は通信リンク１１４及びインターネットを介してサービス・ノード１０７に登録する。登録期間に、サービス・ノード１０７は基地局１０１を検証する。検証は、登録しようとするエンティティが自分は誰であると言っているかということ、及び、当該エンティティが登録の資格を有することを確立することを含む。或る変形においては、基地局１０１とサービス・ノード１０７はそれぞれ、基地局１０１に対する秘密のユーザ名及びアクセス・コードでプログラムされる。サービス・ノード１０７は、登録期間にユーザ名及び秘密アクセス・コードを基地局１０１から取得し、次いで、検証データベースにおいてユーザ名及び秘密アクセス・コードをチェックし、ユーザ名及び秘密アクセス・コードが基地局１０１と関連していること、及び基地局１０１が登録される資格を持つことを保証することによって、基地局１０１を検証する。検証に失敗した場合には、サービス・ノード１０７は基地局１０１に対するサービスを拒否する。
【００１６】
基地局１０１とサービス・ノード１０７は、通信リンク１１４及びインターネットを介して相互間の通信トンネルを確立する。典型的には、この通信トンネルは安全なインターネット・プロトコル（ＩＰ）・トンネルである。セキュリティは暗号化その他の手段によって提供される。基地局１０１とサービス・ノード１０７は、インターネット・ポート、ファイアウォール、インターネット・アクセス・ソフトウェアのような従来のインターネット・ユーティリティを含むことができる。
【００１７】
基地局１０１はアンテナを備え、無線リンク１１１を介して無線通信装置と無線フォーマットでユーザ通信を交換する。無線フォーマットは符号分割多重アクセス（ＣＤＭＡ）、移動通信のための大域システム（ＧＳＭ）、ＩＥＥＥ８０２．１１（Ｗｉ−Ｆｉ）、ＩＥＥＥ８０２．１６（Ｗｉ−Ｍａｘ）、自由空間レーザー、Ｅバンド又は他の無線通信フォーマットであってよい。基地局１０１はトンネルを介してサービス・ノード１０７とユーザ通信を交換する。サービス・ノード１０７はユーザ通信を処理して、無線通信装置に通信サービスを提供する。通信サービスの例は、電話、インスタント・メッセージング、プッシュトーク、インターネット・アクセス、ビデオ・ダウンロード及びオーディオ・ダウンロードを含むが、代わりの通信サービスが存在し得る。或る変形においては、サービス・ノード１０７は移動中継局を備える。
【００１８】
或る変形においては、基地局１０１とサービス・ノード１０７は恒久的なインターネット接続、登録及び／又はトンネリングを維持しない。基地局１０１及び／又はサービス・ノード１０７は所定のスケジュールに基づいてインターネット接続を確立し、解除することができる。例えば、基地局１０１はインターネット接続を月曜日の午前７時に確立し、インターネット接続を金曜日の午後６時に解除することができる。多くの及び一層複雑なスケジュールを用いることができる。同様に、基地局１０１及び／又はサービス・ノード１０７は、所定のスケジュールに基づいて基地局１０１を登録し、登録を解除することができる。基地局１０１及び／又はサービス・ノード１０７は、所定のスケジュールに基づいてトンネルを登録し、登録解除することができる。インターネット接続、登録及び／又はトンネリングのためのこれらの所定のスケジュールは、同じであっても違っていても良い。或る変形においては、基地局１０１及び／又はサービス・ノード１０７は、所定のスケジュールに基づいてインターネット接続の確立、サービス・ノードへの登録及びトンネルの確立を行い、次いで、所定のスケジュールに基づいてインターネット接続の解除、サービス・ノードへの登録の解除及びトンネルの解除を行う。こうして、所定のスケジュールに基づいて、基地局１０１とサービス・ノード１０７は、互いに対話のない不通状態と、対話を行って通信サービスを無線通信装置へ配信する接続状態との間で切り替わることができる。
【００１９】
或る変形においては、基地局１０１はエンドユーザ活動に基づいてインターネット接続を確立し、解除することができる。例えば、基地局は１つの無線通信装置からのサービス要求に応答してインターネット接続を確立し、当該無線通信装置からの他のサービス要求がない期間の後にインターネット接続を解除する。エンドユーザに基づく多くの且つ複雑な制御手法を用いることができる。同様に、基地局１０１はエンドユーザ活動に基づいてサービス・ノード１０７に登録し、登録を解除することができ、又は、基地局１０１はエンドユーザ活動に基づいてトンネルを確立し、解除することができる。インターネット接続、登録及びトンネリングに対するこうしたエンドユーザ活動に基づく制御手法は同じでも、違っていてもよい。或る変形においては、基地局１０１は、エンドユーザ活動手法に基づいて、インターネット接続を確立し、サービス・ノード１０７に登録し、トンネルを確立することができ、次いで、エンドユーザ活動手法に基づいて、インターネット接続を解除し、サービス・ノード１０７への登録を解除し、トンネルを解除することができる。こうして、エンドユーザ活動に基づいて、基地局１０１及びサービス・ノード１０７は、互いに対話のない不通状態と、対話を行って通信サービスを無線通信装置へ配信する接続状態との間で切り替わることができる。エンドユーザ活動を検出する他の技術、例えば、動き検出器、人間接近検出器、エンドユーザが手動で制御する簡単なオン／オフ・スイッチ等を用いることができる。
【００２０】
遠隔制御システムは、制御メッセージを基地局１０１及びサービス・ノード１０７へ転送して、これらのシステムに対してインターネット接続、登録及びトンネリングを確立し、解除することを指令することができる。遠隔制御システムは所定のスケジュール、予測されるエンドユーザ活動又な他のファクタに基づくことができる。
【００２１】
或る変形においては、基地局１０１は相対的に小さく、通信リンク１１４に比較的小さな帯域幅の負荷を許容する。基地局１０１は、セクタを持たないことを意味する無指向性であってよい。基地局１０１は２０個の同時無線通信装置という最大容量を持つことができる。基地局１０１は最大で３つの高周波（ＲＦ）受信チャンネルと３つの送信チャンネルを持つことができる。
【００２２】
基地局１０２、１０３は基地局１０１について説明したように構成され、動作することができる。基地局１０２は無線通信リンク１１２を介して無線通信装置とユーザ通信を交換し、通信リンク１１５及びインターネットによりトンネルを介してサービス・ノード１０７とユーザ通信を交換する。同様に、基地局１０３は無線通信リンク１１３を介して無線通信装置とユーザ通信を交換し、通信リンク１１６及びインターネットによりトンネルを介してサービス・ノード１０７とユーザ通信を交換する。
【００２３】
サービス・ノード１０７は上記のとおり複数の基地局と対話することができる。サービス・ノードは複数の基地局とのトンネルを登録し、検証し、確立することができる。サービス・ノード１０７は異なるスケジュール、エンドユーザ活動又は遠隔制御に基づいて複数の基地局とのトンネルを登録し、検証し、確立することができる。こうして、サービス・ノード１０７は動的に変化する構成の基地局をサポートすることができる。
【００２４】
例２
図２は、本発明の例における通信システム２００を示している。通信システム２００は基地局２００、ＡＤＳＬモデム２０２、デジタル加入者回線アクセス・マルチプレクサ（ＤＳＬＡＭ）２０３、電話局２０４、インターネット・ルーター２０５〜２０６及び移動中継局（ＭＳＣ）２０７を含む。基地局２０１は通信リンク２１２によってＡＤＳＬモデム２０２に結合される。ＡＤＳＬモデム２０２はＡＤＳＬリンク２１３によってＤＳＬＡＭ２０３に結合される。ＤＳＬＡＭ２０３はＩＰリンク２１４によってインターネット・ルーター２０５に結合されるとともに時分割多重（ＴＤＭ）リンク２１７によって電話局２０４と結合される。インターネット・ルーター２０５はＩＰリンク２１５によってインターネット・ルーター２０６に結合される。インターネット・ルーター２０６はＩＰリンク２１６によってＭＳＣ２０７に結合される。通信リンク２１１〜２１７は慣用のものであってよい。
【００２５】
基地局２０１は通信リンク（リンク２１２〜２１３、モデム２０２及びＤＳＬＡＭ２１６からなる）及びインターネット（インターネット・ルーター２０５〜２０６及びリンク２１４〜２１６からなる）を介してＭＳＣ２０７とインターネット接続を確立する。或る変形においては、インターネット・ルーター２０５はＩＳＰを表し、基地局２０１はＩＳＰにログオンすることによってインターネット接続を確立する。ＭＳＣ２０７及びＤＳＬＡＭ２０３はインターネットを介して通信するよう構成される。こうして、基地局２０１とＭＳＣ２０７は上記の通信リンク及びインターネットを介して相互に通信することができる。
【００２６】
基地局２０１は通信リンク及びインターネットを介してＭＳＣ２０７に登録する。登録期間に、ＭＳＣ２０７は、基地局２０１が実際に登録を試みるエンティティであること、及び、基地局２０１が登録される資格を持つことを確証することによって基地局２０１を検証する。検証が失敗すると、ＭＳＣ２０７は基地局２０１へのサービスを拒否する。
【００２７】
基地局２０１とＭＳＣ２０７は通信リンク及びインターネットを介して相互間に通信トンネルを確立する。典型的には、トンネルは安全なＩＰトンネルである。セキュリティは暗号化又は他の手段によって提供される。基地局２０１とＭＳＣ２０７はインターネット・ポート、ファイアウォール、インターネット・アクセス・ソフトウェアのような従来のインターネット・ユーティリティを含むことができる。
【００２８】
基地局２０１は無線リンク２１１を介して無線フォーマットで無線電話とユーザ通信を交換する。無線フォーマットはＣＤＭＡ、ＧＳＭ，Ｗｉ−Ｆｉ、Ｗｉ−Ｍａ、自由空間レーザー又は他の無線通信フォーマットであってよい。基地局２０１はトンネルを介してＭＳＣ２０７とユーザ通信を交換する。ＭＳＣ２０７はユーザ通信を処理して無線電話に通信サービスを提供する。通信サービスの例は、電話、インスタント・メッセージング、プッシュトーク、インターネット・アクセス、ビデオ・ダウンロード及びオーディオ・ダウンロードを含むが、代わりの通信サービスも存在し得る。
【００２９】
或る変形においては、基地局２０１はＭＳＣ２０７との恒久的なインターネット接続、登録及び／又はトンネリングを維持しない。基地局２０１及び／又はＭＳＣ２０７は所定のスケジュールに基づいてインターネット接続を確立し、解除することができる。同様に、基地局２０１及び／又はＭＳＣ２０７は所定のスケジュールに基づいて基地局２０１を登録し、登録解除することができる。基地局２０１及び／又はＭＳＣ２０７は所定のスケジュールに基づいてトンネルを確立し、解除することができる。インターネット接続、登録及びトンネリングに対するこれらの所定のスケジュールは同じでも、違っていてもよい。或る変形においては、基地局２０１及び／又はＭＳＣ２０７は所定のスケジュールに基づいてインターネット接続の確立、登録及びトンネルの確立を行い、次いで、所定のスケジュールに基づいてインターネット接続の解除、登録の解除及びトンネルの解除を行う。こうして、所定のスケジュールに基づいて、基地局２０１及びＭＳＣ２０７は、相互の対話がない不通状態と、対話を行って通信サービスを無線電話に配信する接続状態との間で切り替わることができる。
【００３０】
或る変形においては、基地局２０１はエンドユーザ活動に基づいてインターネット接続を確立し、解除することができる。同様に、基地局２０１はエンドユーザ活動に基づいてＭＳＣ２０７に登録し、登録を解除することができ、又は、基地局２０１はエンドユーザ活動に基づいてトンネルを確立し、解除することができる。インターネット接続、登録及びトンネリングに対する、エンドユーザ活動に基づくこれらの制御手法は、同じでも、違っていてもよい。或る変形においては、基地局２０１はエンドユーザ活動制御手法に基づいて、インターネット接続を確立し、ＭＳＣ２０７に登録し、トンネルを確立し、次いで、同じエンドユーザ活動制御手法に基づいて、インターネット接続を解除し、サービス・ノードへの登録を解除し、トンネルを解除することができる。エンドユーザ活動に基づいて、基地局２０１とＭＳＣ２０７は、相互の対話がない不通状態と、対話を行って通信サービスを無線電話に配信する接続状態との間で切り替わることができる。動き検出器、人間接近検出器、エンドユーザが手動で制御する簡単なオン／オフ・スイッチなどのエンドユーザ活動を検出する他の技術を用いることができる。
【００３１】
遠隔制御システムは、制御メッセージを基地局２０１とＭＳＣ２０７に転送し、これらのシステムにインターネット接続、登録及びトンネリングを確立し、解除するよう指令することができる。遠隔制御は所定のスケジュール、予測されるエンドユーザ活動又は他のファクタに基づくことができる。
【００３２】
ＭＳＣ２０７は同様の方法で複数の追加の基地局（図示せず）と対話することができる。こうして、ＭＳＣ２０７は複数の基地局に対して検証、登録及びトンネルの確立を行うことができる。ＭＳＣ２０７は、異なるスケジュール、エンドユーザ活動又は遠隔制御に基づいて検証、登録及びトンネルの確立を行うことができる。こうして、ＭＳＣ２０７は動的に変化する基地局の構成をサポートすることができる。
【００３３】
或る変形においては、基地局２０１は比較的小さく、ＡＤＳＬリンク２１３に対する比較的小さな帯域幅の負荷を許容する。基地局２０１はセクタを持たないという意味で無指向性であってよい。基地局２０１は２０個の同時無線通信装置という最大容量を持つことができる。基地局２０１は最大で３つの高周波（ＲＦ）受信チャンネルと３つの送信チャンネルと持つことができる。
【００３４】
例３
図３及び図４は、本発明の例における通信システム３００を示している。通信システム３００は基地局３０１、インターネット・インターフェース３０２〜３０３及びサービス・ノード３０４を含む。インターネット・インターフェース３０２〜３０３とサービス・ノード３０４はインターネットを介して相互に通信する。位置「Ａ」において、基地局３０１は通信リンク３１２を介してインターネット・インターフェース３０２とのインターネット接続を確立する。基地局３０１は通信リンク３１２及びインターネットを介してサービス・ノード３０４に登録する。登録期間に、サービス・ノード３０４は基地局３０１を検証する。基地局３０１とサービス・ノード３０４は通信リンク３１２及びインターネットを介して相互間の通信トンネルを確立する。基地局３０１は無線リンク３１１を介して無線通信装置と無線フォーマットでユーザ通信を交換する。基地局３０１とサービス・ノード３０４はトンネルを介してユーザ通信を交換する。サービス・ノード３０４はユーザ通信を処理して、無線通信装置に通信サービスを提供する。或る変形においては、サービス・ノード３０４はＭＳＣを備える。
【００３５】
図４を参照すると、点線で示すように、基地局は位置「Ａ」から位置「Ｂ」への移動を完了している。位置「Ｂ」において、基地局３０１は通信リンク３１４を介してインターネット・インターフェース３０３とインターネット接続を確立する。基地局３０１は通信リンク３１４及びインターネットを介してサービス・ノード３０４に再登録する。登録期間に、サービス・ノード３０４は基地局３０１を再検証する。基地局３０１とサービス・ノード３０４は通信リンク３１４及びインターネットを介する新たな通信トンネルを相互間に確立する。基地局３０１は無線リンク３１１を介して無線通信装置と無線フォーマットでユーザ通信を交換する。基地局３０１とサービス・ノード３０４は新たなトンネルを介してユーザ通信を交換する。サービス・ノード３０４はユーザ通信を処理して、通信サービスを無線通信装置に提供する。留意されるように、例１及び例２に対して上で説明した変形及び特徴は、例３に対しても適用され得る。
【００３６】
基地局３０１は必要に応じて複数回、移動され得る。それぞれの新たな位置において、基地局３０１は新たなインターネット接続を確立し、サービス・ノード３０４に再登録し、サービス・ノード３０４と新たなトンネルを確立する。こうして、基地局３０１は、無線通信サービスが一時的に要求される区域へ移動されることができ、当該要求がなくなると、基地局３０１は無線通信サービスに対する新たな要求により新たな区域へ移動される。
【００３７】
例えば、基地局３０１は日曜日の午前中にＮＦＬフットボール・スタジアムに移動され、その日のフットボール・ゲームの期間に、追加の無線通信容量又は送受信範囲を提供する。月曜日に基地局３０１はコンベンション・センタへ移動され、その週の会議の期間に、追加の無線通信容量又は送受信範囲を提供する。
【００３８】
こうした移動を容易にするために、基地局３０１は比較的小さく、携帯可能なパッケージとして構成されなければならない。本発明の文脈においては、「携帯可能な」は、人間が物理的に基地局を１つの位置から別の位置へ運び、電力、通信及び制御リンクと容易に接続し、切り離すことができることを意味する。
【００３９】
利点
通信システム１００〜３００は以下の利点を提供する（が、本発明の全ての例がこうした利点を提供する訳ではない）。基地局とサービス・ノードとの間で通信するためのＤＳ１又はＤＳ３接続を用いることによる問題となるコスト及び遅延は、インターネット・アクセス技術とインターネットとを用いることによって回避される。インターネット・アクセス及び接続はＤＳ１及びＤＳ３接続よりも低コストであり、ユビキタスである。
【００４０】
インターネット・アクセスは低コストでありユビキタスであるから、基地局を多くの区域に配置し、増加する要求に応えることができる。更に、一時的に追加の容量及び送受信範囲を必要とする区域にサービスするために、携帯可能な基地局を迅速に展開し、動き回わらせることができる。
【図面の簡単な説明】
【００４１】
【図１】本発明の例における通信システム１００を示す図である。
【図２】本発明の例における通信システム２００を示す図である。
【図３】本発明の例における通信システム３００を示す図である。
【図４】本発明の例における通信システム３００を示す図である。
【図１】
2008541666.tif 000003
【図２】
2008541666.tif 000004
【図３】
2008541666.tif 000005
【図４】
2008541666.tif 000006
【国際調査報告】
2008541666.tif 000007
2008541666.tif 000008